(57)【要約】ラベリング装置が提供される。該ラベリング装置は、異なる形状寸法を有するラベルおよび媒体に適応することができる。
2005536404.tif 000002
【特許請求の範囲】
【請求項１】
第１のラベルを第１の形状寸法を有する第１の媒体に貼付し、かつ第２のラベルを第２の形状寸法を有する第２の媒体に貼付するラベリング装置であって、
第１のラベリング部および第２のラベリング部を有するハウジングを含み、前記第１のラベリング部が前記第１のラベルを前記第１の媒体に貼付し、前記第２のラベリング部が、前記第２のラベルを前記第２の媒体に貼付する、前記装置。
【請求項２】
第１のラベルを第１の媒体に貼付し、かつ第２のラベルを第２の媒体に貼付するラベリング装置であって、
第１の表面および第２の表面を有する第１のラベリング部と、
第３の表面および第４の表面を有する第２のラベリング部とを含み、前記第１のラベリング部は前記第２のラベリング部に連結されており、
前記第１および第２の表面が、該第１および第２の表面が互いに遠く離れた第１の位置から、前記第１および第２の表面が互いに近接する第２の位置まで、相対的に移動可能であり、前記第３および第４の表面が、該第３および第４の表面が互いに遠く離れた第３の位置から、前記第３および第４の表面が互いに近接する第４の位置まで、相対的に移動可能であり、かつ前記第１または第２の表面の一方が、前記第１のラベルを保持し、前記第１または第２の表面の他方が、第１の媒体を保持するとともに、前記第３および第４の表面の一方が第２のラベルを保持し、前記第３および第４の表面の他方が前記第２の媒体を保持する、前記装置。
【請求項３】
第１のラベリング部が、第１のピストンおよび第１のハウジングをさらに含み、第１の表面が、前記第１のピストン上に配置され、第２の表面が、前記第１のハウジング上に配置されており、かつ第２のラベリング部が、第２のピストンおよび第２のハウジングを有し、第３の表面が前記第２のピストン上に配置され、第４の表面が前記第２のハウジング上に配置されている、請求項２に記載の装置。
【請求項４】
第１のハウジングが、その中に形成された第１の開口を有し、第１のピストンが、前記第１の開口を部分的に通過して移動し、かつ第２のハウジングがその中に形成された第２の開口を有し、第２のピストンが、前記第２の開口を部分的に通過して移動する、請求項３に記載の装置。
【請求項５】
第１および第２の表面が第１の位置にあり、第３および第４の表面が第３の位置にあるように、第１および第２のピストンを偏倚させる弾力性部材をさらに含む、請求項３に記載の装置。
【請求項６】
第１のハウジングが、第１のラベルまたは第１の媒体を第２の表面上に設置するための、少なくとも１つの保持タブを有する、請求項５に記載の装置。
【請求項７】
第２のハウジングが、第２のラベルまたは第２の媒体を第４の表面上に設置するために、少なくとも前記第４の表面の一部分上に壁を有する、請求項５に記載の装置。
【請求項８】
壁が円形部分および平板部分を有し、前記円形部分は、円形をした第２のラベルまたは媒体を設置するためのものであり、前記平面部分は、正方形をしたラベルまたは媒体を設置するためのものである、請求項７に記載の装置。
【請求項９】
第１のハウジングがステムを含み、第１のピストンが中心開口を含み、前記ステムが、前記中心開口を貫通して配置され、それによって前記第１のピストンが前記ステムに沿って移動可能である、請求項５に記載の装置。
【請求項１０】
第１のピストンが、第１の円筒形部材と、内部中空部分を有する第２の円筒形部材とを含むとともに、第２のピストンが、第３の円筒形部材、第４の円筒形部材および第５の円筒形部材を含み、前記第５の円筒形部材は、少なくとも部分的に、前記第２の円筒形部材の前記内部中空部分に配置され、前記第１および第２の円筒形部材が、同心円状に整列されて第１の肩を形成し、第１の表面が前記第１の肩の上に配置されており、前記第３および第４の円筒形部材が、同心円状に整列されて、第２の肩を形成し、第３の表面が前記第２の肩の上に配置されている、請求項５に記載の装置。
【請求項１１】
弾力性部材が、第２の円筒形部材の内部中空部分に配置された、請求項１０に記載の装置。
【請求項１２】
異なる形状寸法を有する媒体にラベルを貼付するラベリング装置であって、
上部表面と該上部表面を貫通して形成された開口とを有するハウジングと、
上端面および該上端面を貫通して形成されたオリフィスを有する外部ピストンと、
肩を有する内部ピストンであって、前記外部ピストンの前記オリフィス内に少なくとも部分的に配置されている前記内部ピストンと、
ロッキング機構とを含み、
前記外部ピストンが、前記上端面が前記上部表面から遠く離れている第１の位置から、前記上端面が前記上部表面に近接する第２の位置まで、前記上部表面内の前記開口中をスライドし、前記内部ピストンが、前記肩が前記上部表面から遠く離れている第３の位置から、前記上肩が前記上部表面に近接する第４の位置まで、前記外部ピストン内の前記オリフィス中をスライドし、ロッキング機構が、前記外部ピストンを前記第２の位置に選択的に保持し、かつ前記上部表面が、前記ラベルを設置し、前記肩が、前記媒体を設置する、前記装置。
【請求項１３】
ハウジングが、ステムを含み、かつ内部ピストンが中空内部容積を含み、前記ステムが、少なくとも部分的に前記中空内部容積中に配置され、それによって前記内部ピストンが前記ステムに沿って移動可能である、請求項１２に記載の装置。
【請求項１４】
内部ピストンが、第１の円筒形部材および第２の円筒形部材を含み、前記第１および第２の円筒形部材が、同心円状に整列されて、肩を形成し、前記第２の円筒形部材が、少なくとも部分的に外部ピストンのオリフィス内に配置されている、請求項１２に記載の装置。
【請求項１５】
第１の弾力性部材および第２の弾力性部材をさらに含み、前記第１の弾力性部材が、外部ピストンを第１の位置に偏倚させ、第２の弾力性部材が、内部ピストンを第３の位置に偏倚させる、請求項１２に記載の装置。
【請求項１６】
第１の弾力性部材が、捩りスプリングであり、第２の弾力性部材がコイルスプリングである、請求項１５に記載の装置。
【発明の詳細な説明】
【発明の詳細な説明】
【０００１】
１．発明の分野
本発明はラベリング装置に関する。より具体的には、本発明は異なる形状と大きさの媒体に適応するラベリング装置に関する。
【０００２】
２．関連技術の説明
コンパクトディスクにラベルを貼付するラベリング装置は公知である。そのような装置は、ラベルとディスクとを両者が接触するまで互いに向かって動かすことによってコンパクトディスクにラベルを貼付する。これらの装置の使用は、１つの大きさのＣＤに限られるという欠点がある。
【０００３】
発明の概要
本発明の目的は、異なる大きさまたは形状の媒体を適応可能なラベリング装置を提供することである。
本発明のさらなる目的は、異なる大きさまたは形状の媒体を、同心円状に設置して整列させることのできる、ラベリング装置を提供することである。
【０００４】
本発明のこれらおよびその他の目的および利点は、第１のラベルを第１の形状寸法（geometry）を有する第１の媒体に貼付し、かつ第２のラベルを第２の形状寸法を有する第２の媒体に貼付するラベリング装置によって提供される。この装置は、第１のラベリング部および第２のラベリング部を有するハウジングを備える。第１のラベリング部は、第１のラベルを第１の媒体に貼付し、第２のラベリング部は、第２のラベルを第２の媒体に貼付する。
【０００５】
本発明は、また、第１および第２の表面を備える第１のラベリング部と、第３および第４の表面を備える第２のラベリング部を有するラベリング装置を含む。第１のラベリング部は、第２のラベリング部に連結されている。第１および第２の表面は、第１および第２の表面が互いに遠く離れている第１の位置から、第１および第２の表面が互いに近接している第２の位置へと、相対的に移動可能である。第３および第４の表面は、第３および第４の表面が互いに遠く離れている第３の位置から、第３および第４の表面が互いに近接する第４の位置に、相対的に移動可能である。第１または第２の表面の一方が、第１のラベルを保持し、第１または第２の表面の他方が、第１の媒体を保持するとともに、第３または第４の表面の一方が、第２のラベルを保持し、第３または第４の表面の他方が、第２の媒体を保持する。
【０００６】
第１のラベリング部は、第１のピストンおよび第１のハウジングを有し、第１の表面は第１のピストン上に配置し、第２の表面は第１のハウジング上に配置することができる。第２のラベリング部は、第２のピストンおよび第２のハウジングを有し、第３の表面は第２のピストン上に配置し、第４の表面は第２のハウジング上に配置することができる。第１のハウジングは、その中に形成した第１の開口を有し、第１のピストンは第１の開口を部分的に通過して移動することができる。第２のハウジングは、その中に形成された第２の開口を有し、第２のピストンは、第２の開口を部分的に通過して移動することができる。この装置は、第１および第２の表面が第１の位置にあり、第３および第４の表面が第３の位置になるように、第１および第２のピストンを偏倚させる弾力部材をさらに設けることができる。第１のハウジングは、第１のラベルまたは第１の媒体を第２の表面に設置するための、少なくとも１つの保持タブを備えることができる。第２のハウジングは、第２のラベルまたは第２の媒体を第４の表面に設置するための壁を、少なくとも第４の表面の一部分上に、備えることができる。
【０００７】
壁は、円形部分と平面部分とを有し、円形部分は、第２のラベルまたは円形の媒体を配置するため、平面部分は第２のラベルまたは長方形を有する媒体を配置するためである。第１のハウジングは、ステムをさらに有し、第１のピストンは、中心開口をさらに有して、ステムが中心開口を貫通して配置され、それによって第１のピストンがステムに沿って動くようにすることができる。第１のピストンは、第１の円筒形部材および内部中空部分を有する第２の円筒形部材を備えることができる。第２のピストンは、さらに、第３の円筒形部材、第４の円筒形部材および第５の円筒形部材を備えることができる。第５の円筒形部材は、少なくとも部分的に第２の円筒形部材の内部中空部分に配置することができる。第１および第２の円筒形部材を、同心円状に整列させて、第１の肩を形成し、第１の表面を第１の肩の上に配置することができる。第３および第４の円筒形部材を、同心円状に整列させて、第２の肩を形成し、第３の表面を第２の肩の上に配置することができる。弾力性部材は、第２の円筒形部材の内部中空部分に配置することができる。
【０００８】
本発明は、上部表面およびこの上部表面を貫通して形成された開口を備えるハウジングと、上端面および上端面を貫通して形成されたオリフィスを有する外部ピストンと、肩を有する内部ピストンであって、少なくとも部分的に外部ピストンのオリフィス内に配置された前記内部ピストンと、ロッキング機構とを有するラベリング装置をさらに含む。外部ピストンは、上端面が上部表面から遠く離れている第１の位置から、上端面が上部表面に近接している第２の位置へと、上部表面内の開口を通過してスライドする。内部ピストンは、肩が上部表面から遠く離れている第３の位置から、肩（shoulder）が上部表面に近接している第４の位置へと、外部ピストン内のオリフィスを通過してスライドする。ロッキング機構は、外部ピストンを第２の位置に選択的に保持する。
【０００９】
上部表面はラベルを設置し、肩は媒体を設置する。ハウジングはステムをさらに備え、内部ピストンは中空内部容積をさらに備えることができる。ステムは、少なくとも部分的に中空内部容積に配置して、内部ピストンがステムに沿って動くようにすることができる。内部ピストンは、第１の円筒形部材および第２の円筒形部材をさらに備えることができる。第１と第２の円筒形部材を、同心円状に整列させて肩を形成し、第２の円筒形部材を、少なくとも部分的に外部ピストン内のオリフィス内に配置することができる。この装置は、さらに第１の弾力性部材および第２の弾力性部材を備えることができる。第１の弾力性部材は、外部ピストンを第１の位置に偏倚させ、第２の弾力性部材は、内部ピストンを第３の位置に偏倚させることができる。第１の弾力性部材は捩りスプリング、第２の弾力性部材はコイルスプリングとすることができる。
【００１０】
発明の説明
本発明のラベリング装置の好ましい実施態様の図面を添付してある。
図面、特に図１を参照すると、本発明のラベリング装置の好ましい一実施態様を、全体的に参照番号１０で表して示してある。ラベリング装置１０は、第１のラベリング部１２および第２のラベリング部１５を有する。
図１および図２を参照すると、第１のラベリング部１２は、上端部２０および可動上部ボスまたはピストン３０を有する。第２のラベリング部１５は、可動下部ボスまたはピストン８０および下端部９０を有する。上端部２０および下端部９０は、互いに連結されて、ハウジング１８を形成する。本発明を説明する目的で、ラベリング装置１０は、上端部２０を下端部９０の上にして説明する。しかしながら、当業者であれば、ラベリング装置は異なる方向に回転させることができることを理解するであろう。
【００１１】
図１〜８を参照すると、第１のラベリング部１２は、上部スプリング４０および上部ボディ５０を有する。第２のラベリング部１５も、下部ボディ６０および下部スプリング７０を有する。これらの要素は、許容嵌め合い（tolerance fit）によって一緒に保持し、実質的にハウジング１８内に保持するのが好ましい。
上端部２０は実質的に平坦な円形ディスクである。上端部２０は、上端面２１を有し、その上にいくつかの保持タブ２２が位置している。好ましくは、３つの保持タブ２２がある。タブ２２は、好ましくは、上端部２０の外周に沿って位置し、上端面２１に対して実質的に直角に延びる。好ましくは、タブ２２の形状は、上端部２０の半径に等しい曲率半径を有する湾曲形状である。タブ２２は、好ましくは、上端部２０の周囲に沿って等距離に配置する。タブ２２は、ラベルをコンパクトディスクに接着するために、自己粘着性コンパクトディスクラベルを上端面２１上に配置して保持するために間隔を空けて配置する。好ましくは、自己粘着性コンパクトディスクラベルは、１２０ｍｍＣＤ用である。
【００１２】
上端部２０は、その中に形成された上端開口２３を有する。上端開口２３は、円形であって、上端面２１に沿って中央に配置されている。上端開口２３は、上部ボス３０の直径よりも大きな直径を有し、それによって上部ボスが部分的にそこを通過してスライドすることができる。
上部ボス３０は円筒形であって、中心穴３３、保持リング３５および上部表面３７を備える。中心穴３３は、円形であって、上部ボス３０内の中心に形成されている。保持リング３５は、上部ボス３０の下部部分に沿って配置されるとともに、上部ボスが上端開口を完全に通過してしまうのを防止するために、上端開口２３の直径よりも大きな直径を有する。代替方法としては、保持リング３５を、上部ボス３０の外側に沿って配置した突起または複数の突起として、上部ボスが完全に上端開口２３を完全に通過するのを防止することもできる。
【００１３】
図７および８を参照すると、上部ボディ５０は円筒形であって、ステム５２および上部リセス５５を備える。ステム５２は、円筒形をしている。ステム５２は、上部ボディ５０上で中心に配置され、上部リセス５５から、上端部開口２３を通過して延び、それによってステムが上端面２１の上方に延びている。好ましくは、ステム５２は、上部ボディ５０および上端面２１に直角である。ステム５２の直径は、上部ボス５０内の中心穴３３の直径よりも小さく、それによって上部ボスは、ステムに沿ってスライドすることができる。
【００１４】
上部ボディ５０の上部リセス５５は円形であり、上部リセスの円周に沿って形成された、上部溝またはインデント５７を備える。上部リセス５５は、上部ボスの高さおよび直径よりも大きな高さおよび直径を有し、それによって上部ボスが、ステム５２を下方にスライドして、上部リセスに入ることが可能となり、上部ボスの上部表面３７は、上端部２０の上端面２１に近接するか、またはその下にある。好ましくは、上部ボス３０は、ステム５２を下方にスライドして、上部リセス中５５に入ることを可能として、上部ボスの上部表面３７を、上端部２０の上端面２１と同一平面とする。上部リセス５５の上部溝５７の高さおよび直径は、上部スプリング４０の高さおよび直径よりも大きく、それによって上部スプリングは、上部溝内に位置することができる。
【００１５】
図５および６を参照すると、上部スプリング４０はディスク形であり、上部オリフィス４２およびいくつかの弾力性部材または突起４５を備える。上部オリフィス４２は、ステム５２の直径よりも大きな直径を有し、それによって上部スプリング４０は、ラベリング装置１０を組み立てるときに、ステムの回りに配置して、上部ボディ５０の上部溝５７に設置することができる。
この実施態様においては、４つの弾力性突起４５を使用するが、別の数の弾力性突起を使用することもできる。弾力性突起４５は、部分的に上部オリフィス４２内に延びる第１端４６を有する、偏平スプリングである。弾力性突起４５は、上部ボス３０と接触して、この上部ボスを、高位置に偏倚させて、上部ボスの上部表面３７を上端部２０の上端面２１の上に配置する。上部ボス３０に力がかかると、上部ボスは、ステム５２に沿って下にスライドして、弾力性突起４５の偏倚力に逆らって上部リセス５５中に入る。この実施態様において、上部スプリング４０は、弾力性突起４５を使用して、上部ボス３０の運動に対する偏倚力を提供する。別の弾力性部材、例えばコイルスプリングを使用して、上部ボス３０に対する偏倚力を与えることもできる。
【００１６】
下端部９０は、下端面９１、下端開口９３および周囲壁９５を有する円形ディスクである。下端開口９３は、円形であって、下端面９１に沿って中心配置されている。
周囲壁９５は、好ましくは４つの部分に分離する。周囲壁９５のそれぞれの部分は、円形壁セクション９７および正方形壁セクション９８を有する。この実施態様においては、４つの周囲壁部分９５があり、したがって４つの円形壁セクション９７、および４つの正方形壁セクション９８がある。円形壁セクション９７は、ラベルをコンパクトディスクに貼付するために、自己粘着性コンパクトディスクラベルを下端面９１上に配置、保持するために、間隔を空けて配置してある。好ましくは、自己粘着性コンパクトディスクラベルは、８０ｍｍＣＤ用である。正方形壁セクション９８は、ラベルを電子ビジネスカード上に貼付するために、自己粘着性ラベルを下端面９１上に設置、保持するために、間隔を空けて配置されている。
【００１７】
図７を参照すると、下部ボス８０は伸縮式円筒形（telescoping cylindrical shape）であって、第１のロッドまたは部材８４、第２のロッドまたは部材８６および保持部材８８を備える。第１のロッドおよび第２のロッドは、同心円状に整列されている。第１のロッド８４の直径は、第２のロッド８６の直径よりも小さく、それによって下端肩８７が形成されている。第２のロッド８６の直径は、下端開口９３の直径よりも小さく、それによって下部ボス８０が部分的にその中をスライドすることができる。
保持部材８８は、下部ボス８０の上部部分に沿って配置されるとともに、下部ボスが下端開口を完全に通過するのを防止するために、下端開口９３の直径よりも大きな直径を有する。代替手法として、保持部材８８を、下部ボス８０の第２のロッド８６に沿って配置した突起または複数の突起として、下部ボスが下端開口９３を完全に通過するのを防止することもできる。
【００１８】
図７を参照すると、下部ボディ６０は円筒形であって、その中心に形成された下部リセス６５を備える。下部リセス６５は円形であって、下部リセスの円周に沿って形成された下部溝または窪み（indent）６７を備える。下部リセス６５の高さおよび直径は、下部ボス８０の高さおよび直径よりも大きく、それによって下部ボスは、下端開口９３を通過してスライドして下部リセス中に入ることが可能となり、下部ボスの下端肩８７は、図６に示すように、下端部９０の下端面９１の近傍または下方にある。好ましくは、下部ボス８０は、下端開口９３を通過してスライドして下部リセス６５中に入り、下部ボスの下端肩８７は下端部９０の下端面９１と同一平面となる。下部リセス６５の下部溝６７の直径は、下部スプリング７０の直径よりも大きく、それによって下部スプリングは下部溝内に位置することができる。
【００１９】
図６および８を参照すると、下部スプリング７０はディスク形状をしており、下部オリフィス７２およびある数の弾力性部材または突起７５を備える。この実施態様においては、４つの弾力性突起７５を使用しているが、別の数の弾力性突起を使用することもできる。弾力性突起７５は、部分的に下部オリフィス７２中に延びる、第１端７６を有する偏平スプリングである。弾力性突起７５は、下部ボス８０と接触して、下部ボスの下端肩８７が下端部９０の下端面９１の下方に配置された状態で、下部ボス８０を、拡張位置に偏倚させる。下部ボス８０に力がかかると、下部ボスは、弾力突起７５の偏倚力に抗して、下端開口９３を通過して、下部リセス６５中にスライドする。この実施態様においては、下部スプリング７０は、弾力性突起７５を使用して、下部ボス８０の動きに対する偏倚力を与える。別の弾力性部材、例えばコイルスプリングを使用して、下部ボス８０への偏倚力を与えることもできる。
【００２０】
好ましい実施態様においては、上部ボス３０および上部スプリング４０、ならびに下部スプリング７０および下部ボス８０の間の位置決めおよび連絡によって、１２０ｍｍＣＤラベル、８０ｍｍＣＤラベルまたは電子ビジネスカードラベルを、１２０ｍｍＣＤ、８０ｍｍＣＤまたは電子ビジネスカード上にそれぞれ正確に設置することが可能になる。本発明は、第１のラベリング部１２を使用して、１２０ｍｍＣＤ上にラベルを貼付し、第２のラベリング部１５を使用して８０ｍｍＣＤまたは電子ビジネスカードのいずれかにラベルを貼付する。本発明は、１２０ｍｍＣＤ、８０ｍｍＣＤまたは電子ビジネスカードへのラベルの貼付を可能にするが、媒体の別の大きさおよび形状にも適応が可能である。
【００２１】
作動に際しては、ユーザーは、単一の装置、すなわちラベリング装置１０を使用して、異なる形状寸法の媒体にラベルを貼付することが可能である。第１のラベリング部１２は、第１の形状寸法を有する第１の媒体に第１のラベルを貼付するのに使用可能であり、第２のラベリング部１５は、第２の形状寸法を有する第２の媒体に第２のラベルを貼付するのに使用可能である。本明細書の記載においては、ラベルおよび媒体の形状寸法（geometry）とは、形状および寸法を意味する。
【００２２】
第１のラベリング部１２に対して、ユーザーは、第１のラベルを上端面２１上で保持タブ２２の間に位置させるとともに、第１の媒体を上部ボス３０上に位置させる。この好ましい実施態様においては、第１のラベリング部１２は、コンパクトディスクにラベルを貼付し、それによって第１ラベルは、上部ボス３０がラベルの中心開口を通過するように、上端面２１上に位置し、第１の媒体は、ステム５２が第１の媒体の中心開口を通過して、かつ第１の媒体が上部ボスの上部表面３７と同一平面になるように、上部ボス３０上に位置する。次いで、ユーザーは、上部ボス３０に力をかけて、これによって上部ボスは、上部表面３７が上端面２１に近接するまで、上部スプリング４０の偏倚力に抗して、上部リセス５５中に移動する。結果として、第１の媒体および第１のラベルは、互いに接触するまで相対的に移動して、第１のラベルが第１の媒体に貼付される。可動上部ボス３０および保持タブ２２を使用することによって、第１のラベルおよび第１の媒体が確実に同心円状に整列される。
【００２３】
第２のラベリング部１５に対して、ユーザーは、第２のラベルを、下端面９１上で周囲壁部分９５の間に位置させるとともに、第２の媒体を下部ボス８０の下端肩８７上に位置させる。この好ましい実施態様においては、第２のラベリング部１５は、コンパクトディスクまたは電子ビジネスカードにラベルを貼付し、それによって第２ラベルは、下部ボス８０がラベルの中心開口を通過するように、下端面９１に位置し、第２の媒体は、第１のロッド８４が第２の媒体の中心開口を通過して、第２の媒体が下部ボスの下端肩８７と同一平面となるように、下部ボス８０の下端肩８７に位置する。
【００２４】
次いで、ユーザーは、下部ボス８０に力をかけて、それによって下部ボスは、下端肩８７が下端面９１に近接するまで、下部スプリング７０の偏倚力に抗して、下部リセス６５中に移動する。結果として、第２の媒体および第２のラベルは、互いに接触するまで相対的に移動して、第２のラベルが第２の媒体に貼付される。可動下部ボス８０および周囲壁部分９５を使用することによって、第２のラベルおよび第２の媒体が、確実に同心円状に整列される。第２のラベリング部１５は、コンパクトディスクおよび電子ビジネスカードの両方に使用可能である。周囲壁部分９５は、円形壁セクション９７および正方形壁セクション９８の両方を有して、自己粘着性コンパクトディスクラベルまたは自己粘着性電子ビジネスカードラベルを、それぞれ設置して、保持する。
【００２５】
当業者であれば、この好ましい実施態様は、１２０ｍｍＣＤ、８０ｍｍＣＤまたは電子ビジネスカードへのラベルの貼付を可能にするが、上端部２０、上部ボス３０、下部ボス８０および下端部９０の大きさおよび形状を変更することによって、別の大きさおよび形状の媒体に適応できることを、理解するはずである。また、この好ましい実施態様は、可動の上部および下部ボスまたはピストン３０、８０を使用し、これらは異なるラベルを異なる媒体に同心円状に整列して貼付するために、上端面および下端面２１、９１に対して移動する。別の可動部材を使用して、第１ラベリング部１２が、第１の形状寸法を有する第１の媒体に第１のラベルを貼付し、第２のラベリング部１５が、第２の形状寸法を有する第２の媒体に第２のラベルを貼付することもできる。さらに、この好ましい実施態様においては、第１のラベリング部１２および第２のラベリング部１５が、分離された可動の上部ボスおよび下部ボス３０、８０を使用して、ラベルを同心円状に整列して媒体に貼付する。代替手法として、上部ボス３０および下部ボス８０を、一体に形成して単一ユニットとして移動するようにすることもできる。
【００２６】
図９を参照すると、全体を参照番号１００で表した、本発明によるラベリング装置の第２の実施態様を示してある。ラベリング装置１００は、第１のラベリング部１１２および第２のラベリング部１１５を有する。
図９〜１１を参照すると、第１のラベリング部１１２は、上端板１２０および上端ピストン２００を有する。第２のラベリング部１１５は、下端板１５０および下端ピストン２５０を有する。本発明を説明する目的で、ラベリング装置１００は、上端板１２０が下端板１５０の上方にある状態で説明する。しかしながら、当業者であれば、ラベリング装置１００は、異なる方位に回転させることができることを理解するであろう。
【００２７】
図９〜１３を参照すると、上端板１２０は、円筒形であり、自己粘着性ラベルを設置して保持するように適合されている。好ましくは、この実施態様においては、自己粘着性ラベルは、１２０ｍｍＣＤ用である。上端板１２０は、円形周囲壁１２２および上端保持面１２５を有する。周囲壁１２２は、ラベルの正確な位置決めを可能にする。好ましくは、周囲壁１２２は、約５ｍｍ〜約２０ｍｍの高さ、より好ましくは約１０ｍｍ〜約１５ｍｍの高さである。周囲壁１２２は、保持面１２５を包囲する。好ましくは、保持面１２５の直径は、約１２０ｍｍ〜約１３０ｍｍ、より好ましくは約１２５ｍｍの直径である。
【００２８】
保持面１２５は、それを貫通して形成された中心穴１３０を有する。好ましくは、中心穴１３０は、保持面１２５内に中心配置され、かつ周囲壁１２２と同心円状に整列されている。中心穴１３０は、好ましくは、１２０ｍｍＣＤへのラベルの貼付に適応させるために、約４１ｍｍの直径を有する。
下端板１５０は、円筒形であり、自己粘着性ラベルを設置して、保持するように適合されている。下端板１５０は、円形周囲壁１６０および下端保持面１６５を有する。周囲壁１６０は、ラベルの正確な位置決めを可能にする。好ましくは、周囲壁１６０の高さは、約５ｍｍ〜約２０ｍｍ、さらに好ましくは約１０ｍｍ〜約１５ｍｍである。周囲壁１６０は、保持面１６５を包囲する。好ましくは、保持面１６５の直径は、約８０ｍｍ〜約９０ｍｍ、さらに好ましくは約８５ｍｍである。
【００２９】
保持面１６５は、それを貫通して形成された中心穴１７０を有する。好ましくは、中心穴１７０は、保持面１６５上に中心配置されて、周囲壁１６０と同心円状に整列されている。中心穴１７０は、８０ｍｍＣＤへのラベルの貼付に適応させるために、好ましくは、約２０ｍｍの直径を有する。
周囲壁１２２、１６０は、好ましくは面取りされた縁端を有する。好ましくは、上端板１２０および下端板１５０のすべての表面には、平滑面を有する保持面１２５、１６５を除いて、テキスチャー（織り目）を設ける。周囲壁１２２、１６０は、好ましくは、上端板１２０を下端板１５０に締結するように適合されている。しかしながら、別の方法を使用して、上端板１２０を下端板１５０に固定することもできる。
【００３０】
上端ピストン２００は伸縮形円筒形（telescoping cylindrical shape）であって、ＣＤと係合するように適合された第１の円筒形部材２１０と、上端板１２０の中心穴１３０を通して挿入するように適合された第２の円筒形部材２２０とを備える。第１の円筒形部材２１０は、第２の円筒形部材２２０と同心円状に整列されている。第１の円筒形部材２１０は、第２の円筒形部材２２０の直径よりも小さな直径を有して、それによって上端肩２１５が形成される。好ましくは、第１の円筒形部材２１０の直径は、約１４ｍｍである。好ましくは、第２の円筒形部材２２０の直径は、約４１ｍｍである。
【００３１】
また上端ピストンは、保持部材またはリング２２５を有する。保持リング２２５の直径は、保持リングが上端板１２０の中心穴１３０を通過するのを防止するのに十分な大きさを有する。好ましくは、保持リング２２５の直径は、約４２．５ｍｍである。代替的な保持構造、例えば、第２の円筒形部材２２０の外表面上に形成した１つまたは２つ以上の突起などを、保持リング２２５用に使用することもできる。第２の円筒形部材２２０は、実質的に中空である。好ましくは、第２の円筒形部材２２０の内径は、約３９．５ｍｍである。
【００３２】
下端ピストン２５０は伸縮円筒形状であって、ＣＤと係合するように適合された第１の円筒形部材２６０と、下端板１５０の中心穴１７０を通して挿入するように適合された第２の円筒形部材２７０と、上端ピストン２００の第２の円筒形部材２２０と係合するように適合された第３の円筒形部材２８０とを備える。第１の円筒形部材２６０、第２の円筒形部材２７０、および第３の円筒形部材２８０は、同心円状に整列されている。第１の円筒形部材２６０は、第２の円筒形部材２７０の直径よりも小さな直径を有し、その結果、下端肩２６５が形成される。好ましくは、第１の円筒形部材２６０の直径は、約１４ｍｍの直径である。好ましくは、第２の円筒形部材２７０の直径は、約２０ｍｍである。好ましくは、第３の円筒形部材２８０の直径は、第３の円筒形部材が下端板１５０の中心穴１７０を通過するのには十分に大きく、上端ピストン２００の第２の円筒形部材２２０と係合するのには十分に小さい。
【００３３】
本発明では、上端ピストン２００と、反対方向に向く下端ピストン２５０とを組み立て、それによって下端ピストン２５０の第３の円筒形部材２８０を、上端ピストン２００の第２の円筒形部材２２０の中空内部部分に、スライド可能に係合させる。弾力性部材または構造（図示せず）を、上端ピストン２００と下端ピストン２５０の間で、動作可能に係合させる。この実施態様において、弾力性部材は、例えば発泡ゴムなどの弾力性材料であり、これは上端ピストン２００の、第２の円筒形部材２２０の中空容積内に配置される。しかしながら、例えば、コイルスプリングなどの別の弾力性部材を使用することもできる。下端ピストン２５０の第３の円筒形部材２８０を、上端ピストン２００の第２の円筒形部材２２０と同心整列させて、嵌合させることによって、上端および下端ピストンの運動に対する自己誘導機構が得られるとともに、第２の円筒形部材２２０の中空内側部分に配置された弾力性部材との偏倚係合（biased engagement）がさらに可能となる。
【００３４】
上端および下端ピストン２００、２５０は、上端板および下端板１２０、１５０の間に位置させる。次いで、上端板および下端板１２０，１５０を、互いに連結または固定する。上端ピストン２００は、保持リング２２５が上端板の中心穴または下面に接触するまで、上端板１２０の中心穴１３０を通過して部分的にスライド可能である。下端ピストン２５０は、第３の円筒形部材２８０が下端板１５０の中心穴または下面と接触するまで、中心穴１７０を通過して部分的にスライド可能である。
【００３５】
この実施態様においては、上端ピストン２００と下端ピストン２５０との位置決めおよび連絡によって、１２０ｍｍＣＤラベルおよび８０ｍｍＣＤラベルを、１２０ｍｍＣＤおよび８０ｍｍＣＤ上にそれぞれ正確に設置することが可能となる。本発明では、第１のラベリング部１１２を使用して１２０ｍｍＣＤ上にラベルを貼付し、第２のラベリング部材１１５を使用して、８０ｍｍＣＤ上にラベルを貼付する。本発明は、１２０ｍｍＣＤおよび８０ｍｍＣＤへのラベルの貼付を可能にするが、別の大きさおよび形状の媒体にも適応することもできる。
作動に際しては、ユーザーは、ラベリング装置１００を使用して、異なる形状寸法の媒体にラベルを貼付することが可能である。第１のラベリング部１１２を使用して、第１の形状寸法を有する第１の媒体に第１のラベルを貼付することができ、第２のラベリング部１１５を使用して、第２の形状寸法を有する第２の媒体に第２のラベルを貼付することができる。
【００３６】
第１のラベリング部１１２に対して、ユーザーは、第１のラベルを、保持面１２５上で周囲壁１２２内側に設置するとともに、第１の媒体を、上端ピストン２００の上端肩２１５上に設置する。この実施態様において、第１のラベリング部１１２は、コンパクトディスクにラベルを貼付し、それによって、第１のラベルは、第２の円筒形部材２２０がラベルの中心開口を通過するように、保持面１２５上に位置し、第１の媒体は、第１の円筒形部材２１０が第１の媒体の中心開口を通過するように上端ピストン２００上に位置し、かつ第１の媒体が上端ピストンの上端肩２１５の上に載り、それと同一面となる。次いで、ユーザーは、上端ピストン２００に力をかけ、それによって、上端ピストンは、上端肩２１５が上端保持面１２５に近接するまで、弾力性部材の偏倚力に抗して、上端開口１３０中を移動する。結果として、第１の媒体と第１のラベルが、互いに接触するまで、相対的に移動して、第１のラベルが、第１の媒体に貼付される。可動上端ピストン２００および周囲壁１２２を使用することによって、第１のラベルおよび第１の媒体が、確実に同心円状に整列される。
【００３７】
第２のラベリング部１１５に対して、ユーザーは、第２のラベルを、下端面１６５上で周囲壁１６０の内側に設置するとともに、第２の媒体を、下端ピストン２５０の下端肩２６５上に設置する。この実施態様においては、第２のラベリング部１１５は、コンパクトディスクにラベルを貼付し、それによって、第２のラベルは、下端ピストン２５０の第２の円筒形部材２７０がラベルの中心開口を通過するように、下端面１６５に位置し、第２の媒体は、第１の円筒形部材２６０が第２の媒体の中心穴を通過するように、下端ピストンの下端肩２６５上に位置する。次いで、ユーザーが下端ピストン２５０上に力をかけ、これによって、下端ピストンは、下端肩２６５が下端保持面１６５に近接するまで、弾力性部材の偏倚力に抗して下端開口１７０を通過して移動する。結果として、第２の媒体および第２のラベルは、互いに接触するまで相対的に移動して、第２のラベルが第２の媒体に貼付される。可動下端ピストン２５０および周囲壁１６５を使用することによって、第２のラベルおよび第２の媒体が、確実に同心円状に整列される。
【００３８】
この実施態様は、１２０ｍｍＣＤおよび８０ｍｍＣＤへのラベルの貼付を可能にするが、当業者であれば、上端板１２０、下端板１５０、上端ピストン２００および下端ピストン２５０の大きさおよび形状を変更することによって、別の大きさおよび形状の媒体にも適応できることを、理解するであろう。
図１４を参照すると、全体を参照番号３００で示した、本発明によるラベリング装置の第３の実施態様を示してある。ラベリング装置３００は、ハウジング３１０、外部ピストン３４０、内部ピストン３５０、外部弾力性部材３７０および内部弾力性部材３８０を有する。
【００３９】
ハウジング３１０はディスク形であって、ロック３１２、ステムまたはスピゴット３１５および上部表面３２０を備える。上部表面３２０は、実質的に平面であり、そこに形成された上部開口３２５を有する。好ましくは、上部開口３２５は、上部表面３２０の中心に形成する。ステム３１５は、円筒形であって、ハウジング３１０から上部開口３２５を通過して、実質的に上部表面３２０に直角に延びる。好ましくは、ステム３１５は、上部表面３２０の上方に延びる。ロック３１２は、ハウジング３１０の下端部分に沿って配置され、以下に詳細に示すように、外部ピストン３４０上に配置されたロッキングアーム３４７と連絡する。代替的に、ロック３１２は、ハウジング３１０のその他の部分に位置させることも可能であり、これによって、ロックと外部ピストン３４０の連絡が可能となる。
【００４０】
外部ピストン３４０は円筒形であって、上端面３４２、中心開口３４５およびロッキングアーム３４７を備える。外部ピストン３４０の直径は、外部ピストンがハウジング３１０の上部開口３２５をスライドして通過できる直径である。外部ピストン３４０の高さは、外部ピストンが上部開口３２５中をスライドするときに、上端面３４２が、上部表面３２０に近接することが可能になる高さである。中心開口３４５は、外部ピストン３４０の中心部分に形成される。ロッキングアーム３４７は、好ましくは、外部ピストンの下部に沿って配置するとともに、ハウジング３１０のロック３１２と選択的に連絡する。代替手法として、ロッキングアーム３４７は、外部ピストン３４０の他の部分に位置させることも可能であり、それによってロッキングアームとロック３１２の連絡が可能になる。
【００４１】
内部ピストン３５０は、伸縮型円筒形であって、下部円筒形部材３５５および上部円筒形部材３６０を有する。上部円筒形部材３６０は、ステム３１５の直径よりも大きい内部直径の中空内部部分を有し、それによって内部ピストン３５０はステムに沿ってスライドすることができる。上部円筒形部材３６０は、下部円筒形部材３５５の外部直径よりも小さい外部直径を有するとともに、下部円筒形部材と同心円状に整列されて肩３６５を形成する。下部円筒形部材３５５の直径は、内部ピストン３５０が外部ピストン３４０の中心開口を通過するように部分的に配置することができる直径になっている。下部円筒形部材３５５の高さは、内部ピストン３５０が、ハウジング３１０の上部開口３２５を通過してステム３１５に沿って下にスライドするときに、肩３６５が上部表面３２０に近接することを可能にする高さになっている。
【００４２】
外部弾力性部材３７０は、外部ピストン３４０と連絡して、外部ピストンに偏倚力を与え、それによって外部ピストンが上部表面３２０の上方に延びる。好ましくは、外部弾力性部材３７０は、ハウジング３１０に固定された、偏平または捩りスプリングである。内部弾力性部材３８０は、内部ピストンと連絡して、内部ピストンに偏倚力を与えて、それによって肩３６５が上部表面３２０の上方に延びる。好ましくは、内部弾力性部材３８０は、上部円筒形部材３６０の中空内部部分に配置される、コイルスプリングである。この実施態様は、外部ピストン３４０および内部ピストン３５０を偏倚させるのに、捩りスプリング３７０およびコイルスプリング３８０をそれぞれ有するが、別の弾力性部材またはハウジング構造を使用することもできる。
【００４３】
この実施態様においては、外部ピストン３４０と内部ピストン３５０の位置決めおよび連絡によって、１２０ｍｍＣＤラベルおよび８０ｍｍＣＤラベルを、それぞれ１２０ｍｍＣＤおよび８０ｍｍＣＤ上に、正確に設置することができる。本発明は、１２０ｍｍＣＤおよび８０ｍｍＣＤへのラベルの貼付を可能にするが、別の大きさおよび形状の媒体にも適応することができる。
作動に際しては、ユーザーは、ラベリング装置３００を使用して、異なる形状寸法の媒体にラベルを貼付することができる。第１のラベルは、第１の形状寸法を有する第１の媒体に貼付することができ、第２のラベルは、第２の形状寸法を有する第２の媒体に貼付することができる。
【００４４】
第１のラベルおよび媒体に対して、ユーザーは、第１のラベルを上部表面３２０に位置させるとともに、第１の媒体を、内部ピストン３５０の肩３６５および外部ピストン３４０の上端面の上に位置させる。この実施態様においては、第１の媒体はコンパクトディスクであり、そのために、第１のラベルは、外部ピストンおよび内部ピストン３４０、３５０がラベルの中心開口を通過するように、上部表面３２０上に位置し、第１の媒体は、内部ピストンの上部円筒形部材３６０が第１の媒体の中心穴を通過するとともに、第１の媒体が、肩３６５および上端面３４２の上に載って、それと同一平面となるように、外部ピストンおよび内部ピストン上に位置する。次いで、ユーザーは、外部ピストンおよび内部ピストン３４０、３５０に力をかけ、それによって、外部ピストンおよび内部ピストンは、上端面３４２と肩３６５がハウジング３１０の上部表面３２０に近接するまで、弾力性部材３７０、３８０の偏倚力に抗して、上部開口３２５中を移動する。その結果、第１の媒体および第１のラベルは、互いに接触するまで相対的に移動して、第１のラベルが第１の媒体に貼付される。可動外部ピストンおよび内部ピストン３４０、３５０を使用することによって、第１のラベルと第１の媒体が、確実に同心円状に整列される。
【００４５】
第２のラベルおよび媒体に対して、ユーザーは、外部弾力性部材３７０の偏倚力に抗して外部ピストン３４０上に力をかけ、それによって、外部ピストンが上部開口３２５を通ってスライドし、上端面３４２が上部表面３２０に近接する。次いで、ユーザーは、ロッキングアーム３４７をロック３１２と係合させ、それによって外部ピストン３４０は、上端面３４２が上部表面３２０に近接する状態で、低位置に保持される。好ましくは、上端面３４２は上部表面３２０と同一平面となる。この実施態様において、ロック３１２とロッキングアーム３４７の選択的係合は、外部ピストン３４０の回転または捩り運動によって与えられ、それによってロッキングアームがロックの下をスライドする。別の構造を使用して、ロック３１２とロッキングアームの３４７との選択的係合をもたらすこともできる。
【００４６】
次いで、第２のラベルが、上部表面３２０上に位置し、第２の媒体が、内部ピストン３５０の肩３６５上に位置する。この実施態様において、第２の媒体は、コンパクトディスクであり、そのために、第２のラベルは、内部ピストン３５０の下部円筒形部材３５５がラベルの中心開口を通過するように、上部表面３２０上に位置し、第２の媒体は、上部円筒形部材３６０が、第２の媒体の中心開口を通過するように、内部ピストンの肩３６５上に位置する。次いで、ユーザーは、内部ピストン３５０上に力をかけ、それによって、内部ピストンは、肩３６５が上部表面３２０に近接するまで、内部弾力性部材３８０の偏倚力に抗して、上部開口３２５を通過して移動する。結果的に、第２の媒体および第２のラベルは、互いに接触するまで相対的に移動して、第２のラベルが第２の媒体に貼付される。下部円筒形部材３５５および上部円筒形部材３６０を有する可動内部ピストン３５０を使用することによって、第２のラベルと第２の媒体とが確実に同心円状に整列される。
【００４７】
当業者であれば、この実施態様はコンパクトディスクへのラベルの貼付を可能にするが、外部ピストン３４０および内部ピストン３５０の大きさおよび形状を変更することによって、別の大きさおよび形状の媒体に適応できることを理解するはずである。
以上、本発明を、その好ましい形態を具体的に参照して説明してきたが、添付のクレームに記載する本発明の主旨と範囲から逸脱することなく、それらに様々な変更および修正を加えることができることは明白である。
【図面の簡単な説明】
【００４８】
【図１】本発明によるラベリング装置の第１の実施態様を示す上部斜視図である。
【図２】図１の装置の下部斜視図である。
【図３】図１の装置の上面図である。
【図４】図１の装置の底面図である。
【図５】図１の装置の分解上部斜視図である。
【図６】図１の装置の分解下部斜視図である。
【図７】図１の装置の分解前面図である。
【図８】図３の線分Ａ−Ａで切断した図１の装置の、分解横断面図である。
【図９】本発明によるラベリング装置の、第２の実施態様の上部斜視図である。
【図１０】図９のラベリング装置の、上端板の上部斜視図である。
【図１１】図９のラベリング装置の、下端板の上部斜視図である。
【図１２】図５のラベリング装置の、上端および下端ピストンの上部斜視図である。
【図１３】組み立て状態の、図１２の上端および下端ピストンの上部斜視図である。
【図１４】本発明によるラベリング装置の、第３の実施態様の概略横断面図である。
【図１】
2005536404.tif 000003
【図２】
2005536404.tif 000004
【図３】
2005536404.tif 000005
【図４】
2005536404.tif 000006
【図５】
2005536404.tif 000007
【図６】
2005536404.tif 000008
【図７】
2005536404.tif 000009
【図８】
2005536404.tif 000010
【図９】
2005536404.tif 000011
【図１０】
2005536404.tif 000012
【図１１】
2005536404.tif 000013
【図１２】
2005536404.tif 000014
【図１３】
2005536404.tif 000015
【図１４】
2005536404.tif 000016
【手続補正書】
【提出日】平成16年3月3日(2004.3.3)
【手続補正１】
【補正対象書類名】特許請求の範囲
【補正対象項目名】全文
【補正方法】変更
【補正の内容】
【特許請求の範囲】
【請求項１】
第１の直径の第１の中心穴を有する第１のラベルを、第１の形状寸法を有する第１の媒体に貼付し、かつ、第２の直径の第２の中心穴を有する第２のラベルを、第２の形状寸法を有する第２の媒体に貼付するラベリング装置であって、
第１のラベリング部および第２のラベリング部を有するハウジングであって、前記第１のラベリング部が第１の設置部材を有し、前記第２のラベリング部が第２の設置部材を有する前記ハウジングを含み、前記第１のラベリング部は、前記第１のラベルを収容するために第１の大きさおよび第１の形状を有し、前記第１の設置部材が、前記第１のラベルの第１の中心穴の位置を同定して、前記第１のラベリング部が前記第１のラベルを前記第１の媒体に貼付するとともに、前記第２のラベリング部が、前記第２のラベルを収容するために第２の大きさおよび第２の形状を有し、前記第２の設置部材が、前記第２のラベルの第２の中心穴の位置を同定して、前記第２のラベリング部が、前記第２のラベルを前記第２の媒体に貼付する、前記装置。
【請求項２】
第１のラベルを第１の媒体に貼付し、かつ第２のラベルを第２の媒体に貼付するラベリング装置であって、
第１の表面および第２の表面を有する第１のラベリング部と、
第３の表面および第４の表面を有する第２のラベリング部とを含み、前記第１のラベリング部は前記第２のラベリング部に連結されており、
前記第１および第２の表面が、該第１および第２の表面が互いに遠く離れた第１の位置から、前記第１および第２の表面が互いに近接する第２の位置まで、相対的に移動可能であり、前記第３および第４の表面が、該第３および第４の表面が互いに遠く離れた第３の位置から、前記第３および第４の表面が互いに近接する第４の位置まで、相対的に移動可能であり、かつ前記第１または第２の表面の一方が、前記第１のラベルを保持し、前記第１または第２の表面の他方が、第１の媒体を保持するとともに、前記第３および第４の表面の一方が第２のラベルを保持し、前記第３および第４の表面の他方が前記第２の媒体を保持する、前記装置。
【請求項３】
第１のラベリング部が、第１のピストンおよび第１のハウジングをさらに含み、第１の表面が、前記第１のピストン上に配置され、第２の表面が、前記第１のハウジング上に配置されており、かつ第２のラベリング部が、第２のピストンおよび第２のハウジングを有し、第３の表面が前記第２のピストン上に配置され、第４の表面が前記第２のハウジング上に配置されている、請求項２に記載の装置。
【請求項４】
第１のハウジングが、その中に形成された第１の開口を有し、第１のピストンが、前記第１の開口を部分的に通過して移動し、かつ第２のハウジングがその中に形成された第２の開口を有し、第２のピストンが、前記第２の開口を部分的に通過して移動する、請求項３に記載の装置。
【請求項５】
第１および第２の表面が第１の位置にあり、第３および第４の表面が第３の位置にあるように、第１および第２のピストンを偏倚させる弾力性部材をさらに含む、請求項３に記載の装置。
【請求項６】
第１のハウジングが、第１のラベルまたは第１の媒体を第２の表面上に設置するための、少なくとも１つの保持タブを有する、請求項５に記載の装置。
【請求項７】
第２のハウジングが、第２のラベルまたは第２の媒体を第４の表面上に設置するために、少なくとも前記第４の表面の一部分上に壁を有する、請求項５に記載の装置。
【請求項８】
壁が円形部分および平板部分を有し、前記円形部分は、円形をした第２のラベルまたは媒体を設置するためのものであり、前記平面部分は、正方形をしたラベルまたは媒体を設置するためのものである、請求項７に記載の装置。
【請求項９】
第１のハウジングがステムを含み、第１のピストンが中心開口を含み、前記ステムが、前記中心開口を貫通して配置され、それによって前記第１のピストンが前記ステムに沿って移動可能である、請求項５に記載の装置。
【請求項１０】
第１のピストンが、第１の円筒形部材と、内部中空部分を有する第２の円筒形部材とを含むとともに、第２のピストンが、第３の円筒形部材、第４の円筒形部材および第５の円筒形部材を含み、前記第５の円筒形部材は、少なくとも部分的に、前記第２の円筒形部材の前記内部中空部分に配置され、前記第１および第２の円筒形部材が、同心円状に整列されて第１の肩を形成し、第１の表面が前記第１の肩の上に配置されており、前記第３および第４の円筒形部材が、同心円状に整列されて、第２の肩を形成し、第３の表面が前記第２の肩の上に配置されている、請求項５に記載の装置。
【請求項１１】
弾力性部材が、第２の円筒形部材の内部中空部分に配置された、請求項１０に記載の装置。
【請求項１２】
異なる形状寸法を有する媒体にラベルを貼付するラベリング装置であって、
上部表面と該上部表面を貫通して形成された開口とを有するハウジングと、
上端面および該上端面を貫通して形成されたオリフィスを有する外部ピストンと、
肩を有する内部ピストンであって、前記外部ピストンの前記オリフィス内に少なくとも部分的に配置されている前記内部ピストンと、
ロッキング機構とを含み、
前記外部ピストンが、前記上端面が前記上部表面から遠く離れている第１の位置から、前記上端面が前記上部表面に近接する第２の位置まで、前記上部表面内の前記開口中をスライドし、前記内部ピストンが、前記肩が前記上部表面から遠く離れている第３の位置から、前記上肩が前記上部表面に近接する第４の位置まで、前記外部ピストン内の前記オリフィス中をスライドし、ロッキング機構が、前記外部ピストンを前記第２の位置に選択的に保持し、かつ前記上部表面が、前記ラベルを設置し、前記肩が、前記媒体を設置する、前記装置。
【請求項１３】
ハウジングが、ステムを含み、かつ内部ピストンが中空内部容積を含み、前記ステムが、少なくとも部分的に前記中空内部容積中に配置され、それによって前記内部ピストンが前記ステムに沿って移動可能である、請求項１２に記載の装置。
【請求項１４】
内部ピストンが、第１の円筒形部材および第２の円筒形部材を含み、前記第１および第２の円筒形部材が、同心円状に整列されて、肩を形成し、前記第２の円筒形部材が、少なくとも部分的に外部ピストンのオリフィス内に配置されている、請求項１２に記載の装置。
【請求項１５】
第１の弾力性部材および第２の弾力性部材をさらに含み、前記第１の弾力性部材が、外部ピストンを第１の位置に偏倚させ、第２の弾力性部材が、内部ピストンを第３の位置に偏倚させる、請求項１２に記載の装置。
【請求項１６】
第１の弾力性部材が、捩りスプリングであり、第２の弾力性部材がコイルスプリングである、請求項１５に記載の装置。
【国際調査報告】
2005536404.tif 000017
2005536404.tif 000018
2005536404.tif 000019
2005536404.tif 000020